(57)【要約】【課題】光ドロップケーブルへの着氷を抑制し、着氷による伝送特性の低下、あるいは断線に至ることがない光ドロップケーブルを提供する。【解決手段】光ファイバ心線１１の両側に間隔をあけて、アラミド繊維強化プラスチック紐からなるテンションメンバ１２を配置し、両者の上に低摩擦難燃ポリエチレン、または低摩擦難燃ポリウレタン組成物により断面円形、または楕円形の保護被覆１５を施し、上記光ファイバ心線１１とテンションメンバ１２とを結ぶ延長線上で、かつ、上記保護被覆１５の外側に支持線１３を配置し、この支持線１３の上に外被１６を、ブリッジ１７を介して上記保護被覆１５とともに設けてなる。上記保護被覆１５の長軸／短軸の比を１〜２とし、保護被覆表面に、谷底が円弧状で、谷面と外周面とが交わる部分に微小アールを形成したＶ字状凹溝１４を設けたもので、上記Ｖ字状凹溝の深さをと、谷底の円弧の半径を特定の寸法にしている。【選択図】図１
2006330265.tif 000002
【特許請求の範囲】
【請求項１】
光ファイバ心線の両側に間隔をあけて、アラミド繊維強化プラスチック紐からなるテンションメンバを配置し、両者の上に低摩擦難燃ポリエチレン、または低摩擦難燃ポリウレタン組成物により断面円形、または楕円形の保護被覆を施し、上記光ファイバ心線とテンションメンバとを結ぶ延長線上で、かつ、上記保護被覆の外側に支持線を配置し、この支持線の上に外被を、ブリッジを介して上記保護被覆とともに設けてなる光ドロップケーブルにおいて、上記保護被覆の長軸／短軸の比を１〜２とし、上記光ファイバ心線とテンションメンバとを結ぶ線の中点で、直交する線上の保護被覆表面に、谷底が円弧状で、谷面と外周面とが交わる部分に微小アールを形成したＶ字状凹溝を設けたことを特徴とする雪対策光ドロップケーブル。
【請求項２】
上記Ｖ字状凹溝の深さを、保護被覆の短軸の１／１２〜１／７、円弧の半径を、保護被覆の短軸の１／１８〜１／８としたことを特徴とする請求項１に記載の雪対策光ドロップケーブル。
【請求項３】
上記光ファイバ心線と保護被覆との間に微小ギャップを設けたことを特徴とする請求項１または２に記載の雪対策光ドロップケーブル。
【発明の詳細な説明】
【技術分野】
【０００１】
この発明は、架空光伝送ケーブルから中間光ドロップクロージャ（以下、単に光クロージャという）を経て、利用者宅へ引き込まれる雪対策光ドロップケーブルに関する。
【背景技術】
【０００２】
架空光伝送ケーブル３１は、図３に示す如く電柱３２等に架渉されており、利用者宅３３へは、光クロージャ３４を経て引き込まれ、上記光クロージャ３４と利用者宅３３との間は、図２に示す光ドロップケーブル１０の支持線に吊架され、その支持線は利用者住宅３３に取付けられたブラケット（図示せず）等に引き留められ、それから先は、支持線と光ケーブル本体１０ａとは切り離されて光ケーブル本体１０ａだけが宅内に引き込まれる。
【発明の開示】
【発明が解決しようとする課題】
【０００３】
ここで、光クロージャ３４から利用者宅３３に引き込まれる光ドロップケーブルは、屋外にあり、これが、豪雪地で引き下げられたときは、該光ドロップケーブルに着雪することとなり、雪質・気温の変化などによって着雪が大きく成長し、その重みによって大きい張力が加わることとなり、その結果光ドロップケーブルの伝送特性の低下、あるいは断線に至ることも考えられる。
【０００４】
上記の状況に鑑みこの発明は、光ドロップケーブルへの着雪を抑制し、着雪による伝送特性の低下、あるいは断線に至ることがない光ドロップケーブルを提供することを課題とする。
【課題を解決するための手段】
【０００５】
上記課題を解決するためにこの発明は、光ファイバ心線の両側に間隔をあけて、アラミド繊維強化プラスチック紐からなるテンションメンバを配置し、両者の上に低摩擦難燃ポリエチレン、または低摩擦難燃ポリウレタン組成物により断面円形、または楕円形の保護被覆を施し、上記光ファイバ心線とテンションメンバとを結ぶ延長線上で、かつ、上記保護被覆の外側に支持線を配置し、この支持線の上に外被を、ブリッジを介して上記保護被覆とともに設けてなる光ドロップケーブルにおいて、上記保護被覆の長軸／短軸の比を１〜２とし、上記光ファイバ心線とテンションメンバとを結ぶ線の中点で、直交する線上の保護被覆表面に、谷底が円弧状で、谷面と外周面とが交わる部分に微小アールを形成したＶ字状凹溝を設けたもので、上記Ｖ字状凹溝の深さを、保護被覆の短軸の１／１２〜１／７、円弧の半径を、保護被覆の短軸の１／１８〜１／８とし、上記光ファイバ心線と保護被覆との間に微小ギャップを設けたものである。
【発明の効果】
【０００６】
上記の如く構成するこの発明によれば、表面が曲面をなし、角張ったところがないので、着雪が大きく成長する前に落下して、光ドロップケーブルの伝送特性に悪影響を及ぼすことがなく、もちろん断線の心配がない。
【０００７】
また、保護被覆および外被が低摩擦難燃ポリウレタンを採用しているので、着雪防止効果が得られ、加えて、保護被覆と光ファイバ心線との間に微小ギャップを設けているので架渉状態における着雪があっても外圧が直接光ファイバ心線に加わらず、伝送特性の低下防止効果を得ることができる。
【発明を実施するための最良の形態】
【０００８】
次にこの発明の実施形態を、図面を参照しながら説明する。
【実施例１】
【０００９】
図１（ａ）は実施例１に係る光ドロップケーブル１０の断面図で、０．２５ｍｍφの光ファイバ心線１１を並列し、その両サイドに０．６ｍｍの間隔をあけて、０．４５ｍｍφのアラミド繊維強化プラスチック紐からなるテンションメンバ１２を平行配置し、更に上記テンションメンバ１２と光ファイバ心線１１を結ぶ延長線上に１．２ｍｍφの亜鉛メッキ鋼線１３を平行配置して低摩擦難燃ポリウレタン組成物により保護被覆１５とともにブリッジ１７を介して外被１６を一体に押出し成形してなる。なお、上記低摩擦難燃ポリウレタン組成物は、硬度が９０（ＨＤＡ）以上、塩化ビニルに対する摩擦係数が０．２以下のものを採用した。また、低摩擦難燃ポリウレタン組成物に代えて低摩擦難燃ポリエチレンを採用することができる。
【００１０】
上記保護被覆１５の押出し成形の際にはニップルをダイスの前面より僅かに突出させて、いわゆるパイプ押出し方式を採用して光ファイバ心線１１と保護被覆１５との間に微小ギャップＧ（０．５ｍｍ以下）を設けるようにする。なお、保護被覆１５の肉厚は０．８ｍｍで外径は２．４ｍｍφである。
【００１１】
微小ギャップＧを０．５ｍｍ以下としたのは、０．５ｍｍを超えると保護被覆１５のＶ字状凹溝の谷底部分における肉厚が薄くなり、保護被覆１５が座屈する恐れがあるからである。
【００１２】
また、保護被覆１５の外周面長手方向には、底面が半径０．２ｍｍ、深さ０．３ｍｍのＶ字状凹溝１４が形成されており、ブリッジ１７の高さは０．１ｍｍ、厚さは０．２ｍｍで外被１６の肉厚は０．４ｍｍ、外径は２．０ｍｍφである。
【００１３】
なお、本実施例における上記の各部分の寸法は、単なる実施例であって特許請求の範囲を拘束するものではない。
【実施例２】
【００１４】
図１（ｂ）は実施例２に係る光ドロップケーブル１０の断面図で、０．２５ｍｍφの光ファイバ心線１１を並列し、その両サイドに０．４ｍｍの間隔をあけて、０．４５ｍｍφのアラミド繊維強化プラスチック紐からなるテンションメンバ１２を平行配置し、更に上記テンションメンバ１２と光ファイバ心線１１を結ぶ延長線上に１．２ｍｍφの亜鉛メッキ鋼線１３を平行配置して保護被覆１５とともにブリッジ１７を介して外被１６を一体に押出し成形してなる。
【００１５】
上記保護被覆１５の押出し成形の際にはニップルをダイスの前面より僅かに突出させて、いわゆるパイプ押出し方式を採用して光ファイバ心線１１と保護被覆１５との間に微小ギャップＧ（０．５ｍｍ以下）を設けるようにする。なお、保護被覆１５の肉厚は、長軸側０．８×短軸側０．６ｍｍ、外径は、長軸側２．４ｍｍ×短軸側２．０ｍｍである。なお、微小ギャップＧを０．５ｍｍとしたのは実施例１と同じ理由である。
【００１６】
また、保護被覆１５の外周面長手方向には、底面が半径０．２ｍｍ、深さ０．３ｍｍのＶ字状凹溝１４が形成されており、ブリッジ１７の高さは０．１ｍｍ、厚さは０．２ｍｍで外被１６の肉厚は０．４ｍｍ、外径は２．０ｍｍφである。
【００１７】
なお、本実施例における上記の各部分の寸法は、単なる実施例であって特許請求の範囲を拘束するものではない。
【実施例３】
【００１８】
図１（ｃ）は実施例３で、１１は外径０．２５ｍｍの光ファイバ心線を４心平行配置した４心光ファイバテープ心線、１２は上記光ファイバテープ心線の両側に間隔をあけて配置した０．４５ｍｍφのアラミド繊維強化プラスチック紐からなるテンションメンバ、１３は１．２ｍｍφの亜鉛メッキ鋼線で、これらの上に低摩擦難燃性ポリウレタン組成物により短軸２．０ｍｍ×長軸４．０ｍｍの楕円形保護被覆と、ブリッジ１７を介して外径２．０ｍｍφの外被を設けている。
【００１９】
上記保護被覆１５の成形は、パイプ押し出し法を採用し、光ファイバテープ心線１１と保護被覆１５との間に、短軸側０．１１ｍｍ、長軸側０．３５ｍｍの微小ギャップＧを形成し保護被覆１５の外周面長さ方向に谷底が円弧状で、谷面と外周面が交わる部分に微小アールＲを形成したＶ字状凹溝１４を設ける。ここで上記微小ギャップＧは、短軸側、長軸側とも０．５ｍｍまで広げることができるが、それを超えるものは、実施例１，２と同じ理由で広げることは好ましくない。なお、上記以外は、実施例１、実施例２と基本的に同様であるから説明を省略する。
【００２０】
なお、本実施例における上記の各部分の寸法は、単なる実施例であって特許請求の範囲を拘束するものではない。
【産業上の利用可能性】
【００２１】
以上説明した如くこの発明によれば、表面が曲面をなし、角張ったところがないので、着雪が大きく成長する前に落下して、光ドロップケーブルの伝送特性に悪影響を及ぼすことがなく、もちろん断線の心配がない。
【００２２】
また、保護被覆および外被が低摩擦難燃ポリウレタンを採用しているので、着雪防止効果が得られ、加えて、保護被覆と光ファイバ心線との間に微小ギャップを設けているので架渉状態における着雪があっても外圧が直接光ファイバ心線に加わらず、伝送特性の低下防止効果を得ることができる。
【図面の簡単な説明】
【００２３】
【図１】本発明に係る光ドロップケーブルの断面図で（ａ）実施例１、（ｂ）実施例２、（ｃ）実施例３
【図２】従来技術に係る光ドロップケーブルの断面図
【図３】光ドロップケーブルの引き込み工事説明図
【符号の説明】
【００２４】
１０  光ドロップケーブル
１０ａ  光ケーブル本体
１１  光ファイバ（テープ）心線
１２  テンションメンバ
１３  亜鉛メッキ鋼線（支持線）
１４  Ｖ字状凹溝
１５  保護被覆
１６  外被
１７  ブリッジ
３１  架空光伝送ケーブル
３２  電柱
３３  利用者宅
３４  中間光ドロップクロージャ
３５  壁面
【図１】
2006330265.tif 000003
【図２】
2006330265.tif 000004
【図３】
2006330265.tif 000005